(57)【要約】【課題】ＥＭＭの新規登録、変更又は更新ができずに契約している番組を視聴できない又は視聴できなくなることがあるため、デジタル放送受信装置の使用状況に関わらずＥＭＭの新規登録、変更又は更新を行う必要があった。【解決手段】保持する限定受信情報を、又は保持する限定受信情報を更新し、第一のネットワークに加え第二のネットワークを介して保持する限定受信情報を、又は更新した限定受信情報を双方向デジタル放送受信装置に送信することを特徴とする放送事業者装置。【選択図】図１
2011004023.tif 000002
【特許請求の範囲】
【請求項１】
該双方向デジタル放送受信装置が保持する第一の識別情報及び前記第一の識別情報を含み且つ前記第一の識別情報に関連付けられた限定受信情報を保持する放送事業者装置と、
前記放送事業者装置から前記限定受信情報を第一のネットワークを介して受信すると共に、前記放送事業者装置と第二のネットワークを介して双方向通信する双方向デジタル放送受信装置と、からなる双方向デジタル放送ネットワークシステムにおいて、
前記保持する限定受信情報を前記第一のネットワークに加え前記第二のネットワークを介して前記双方向デジタル放送受信装置に送信する又は、
前記保持する限定受信情報を更新し、前記第一のネットワークに加え前記第二のネットワークを介して前記更新した限定受信情報を前記双方向デジタル放送受信装置に送信する
ことを特徴とする放送事業者装置。
【請求項２】
前記限定受信情報は、少なくとも、ネットワークアドレス情報を含み、
前記第二のネットワークを介して前記ネットワークアドレス情報であるネットワークアドレスまたは前記ネットワークアドレス情報から判別されるネットワークアドレス宛に前記限定受信情報を送信する
ことを特徴とする請求項１記載の放送事業者装置。
【請求項３】
前記限定受信情報は、少なくとも、限定受信の有効期限及びネットワークアドレス情報を含み、
前記有効期限をモニターし、前記有効期限の満了前に前記第二のネットワークを介して前記ネットワークアドレス情報であるネットワークアドレスまたは前記ネットワークアドレス情報から判別されるネットワークアドレス宛に前記更新した限定受信情報を送信する
ことを特徴とする請求項１記載の放送事業者装置。
【請求項４】
前記第二のネットワークを介した前記双方向デジタル放送受信装置からの前記限定受信情報又は前記更新した限定受信情報を受信した旨の応答を受け、
前記第一のネットワーク、前記第二のネットワークの一方又は双方を介した前記限定情報又は前記更新した限定受信情報の前記双方向デジタル放送受信装置への送信を停止する
ことを特徴とする請求項１記載の放送事業者装置。
【請求項５】
前記限定受信情報は、さらに、更新番号を含み、
前記第二のネットワークを介し前記双方向デジタル放送受信装置の前記更新番号が最新であることを確認した後、前記第一のネットワーク、前記第二のネットワークの一方又は双方を介した前記限定受信情報又は前記更新した限定受信情報の前記双方向デジタル放送受信装置への送信を停止する
ことを特徴とする請求項１記載の放送事業者装置。
【請求項６】
前記限定受信情報又は前記更新した限定受信情報を前記双方向デジタル放送受信装置に送信する際、前記双方向デジタル放送受信装置が有する暗号方式と同一の暗号方式及び前記保持する第一の識別情報を元に生成する秘密鍵を用いて前記限定受信情報又は前記更新された限定受信情報を暗号化し送信する
ことを特徴とする請求項１記載の放送事業装置。
【請求項７】
該双方向デジタル放送受信装置が保持する第一の識別情報及び前記第一の識別情報を含み且つ前記第一の識別情報に関連付けられた限定受信情報を保持する放送事業者装置と、
前記放送事業者装置から前記限定受信情報を第一のネットワークを介して受信すると共に、前記放送事業者装置と第二のネットワークを介して双方向通信する双方向デジタル放送受信装置と、からなる双方向デジタル放送ネットワークシステムにおいて、
前記放送事業者装置は、前記保持する限定受信情報を前記第一のネットワークに加え前記第二のネットワークを介して前記双方向デジタル放送受信装置に送信し、又は、前記保持する限定受信情報を更新し、前記第一のネットワークに加え前記第二のネットワークを介して前記更新した限定受信情報を前記双方向デジタル放送受信装置に送信し、
前記双方向デジタル放送受信装置は、前記第一の識別情報に基づき、前記放送事業者装置から送信された前記限定受信情報を保持し、又は、前記更新した限定受信情報により前記保持する限定受信情報を更新することを特徴とする双方向デジタル放送ネットワークシステム。
【発明の詳細な説明】
【技術分野】
【０００１】
本発明は、放送事業者装置と双方向デジタル放送受信装置間で通信系ネットワークを利用して、双方向デジタル放送受信装置に対する限定受信情報であるＥＭＭ（Ｅｎｔｉｔｌｅｍｅｎｔ  Ｍａｎａｇｅｍｅｎｔ  Ｍｅｓｓａｇｅ）を最新に更新する放送事業者装置、双方向デジタル放送ネットワークシステムに関するものである。
【背景技術】
【０００２】
従来のＥＭＭの新規登録、変更及び更新について図６を用いて説明する。
【０００３】
図６は、従来のデジタル放送ネットワークシステムの構成図である。
【０００４】
ＥＭＭを新規登録する場合、顧客情報登録装置１１は、自身が保持しているデジタル放送受信装置１４１に付属するＣＡＳカード１４２のＩＤ（ＣＡＳ−ＩＤ）、デジタル放送受信装置１４１のＩＤ（例えばＳＴＢ−ＩＤ）、視聴契約情報及び登録日を放送事業者装置１２０内のシステム管理装置２１に送信する。
【０００５】
システム管理装置２１は、顧客情報登録装置１１から受信したＣＡＳ−ＩＤ、視聴契約情報及び登録日をＥＭＭ生成装置２２に送信する。
【０００６】
ＥＭＭ生成装置２２は、ＣＡＳ−ＩＤを送信先の情報として、システム管理装置２１から受信した登録日を元に有効期限を設定し、設定した有効期限と、ＣＡＳ−ＩＤ、視聴契約情報及び更新番号を含んだＥＭＭを生成し放送機器２４に送信する。
【０００７】
放送機器２４は、ＥＭＭ生成装置２２から受信したＥＭＭとデジタル放送を多重しスクランブル処理を行い、放送系ネットワーク３１を通じてデジタル放送受信装置１４１に送信する。
【０００８】
デジタル放送受信装置１４１は、受信したＥＭＭに含まれるＣＡＳ−ＩＤがＣＡＳカード１４２の挿入時にＣＡＳカード１４２からデジタル放送受信装置１４１に通知されデジタル放送受信装置１４１が保持するＣＡＳ−ＩＤと合致すると、ＣＡＳカード１４２に受信したＥＭＭを送信する。ＣＡＳカード１４２はＥＭＭから視聴契約情報、有効期限及び更新番号を取り出し、自データとして新規登録する。
【０００９】
ＥＭＭを変更する場合（例えば、視聴契約を変更、解約する場合）は、変更したＥＭＭを新規登録する場合と同様の方法で送信する。
【００１０】
変更したＥＭＭを更新する場合、ＥＭＭ生成装置２２は、記憶部（図示せず）に記憶した有効期限をモニターし、有効期限切れのｎ日前（ｎは整数）から、期限を延長した有効期限、番号をインクリメントした更新番号、ＣＡＳ−ＩＤ及び視聴契約情報を含んだＥＭＭを放送機器２４に送信し、放送機器２４から放送系ネットワーク３１を通じてデジタル放送受信装置１４１に送信する。
【００１１】
この仕組みは、日本においては電波産業界（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：ＡＲＩＢ）で規格化され、ＢＳや地上デジタル放送及びデジタルＣＡＴＶ放送で運用されている。またＩＰ通信ネットワークを利用し、ＥＭＭを更新する提案もある（特許文献１参照）。
【先行技術文献】
【特許文献】
【００１２】
【特許文献１】特開２００８−２４４７１７号公報
【発明の概要】
【発明が解決しようとする課題】
【００１３】
しかしながら、前記従来の構成では、ＥＭＭを新規登録、変更又は更新するには、
１）ＥＭＭが送信されているデジタル放送サービスを選局する、若しくは
２）デジタル放送受信装置の電源をリモコンでＯＦＦ（待機状態）し、自動的に選局してＥＭＭを受信する（通電制御）
必要があるが、視聴者の利用状況によっては上記条件を満たさないためＥＭＭの新規登録、変更又は更新を行うことができず、視聴契約情報の変更や解約が行えないことやＥＭＭの有効期限できないため、次回視聴時デジタル放送サービスを受信でないという課題を有していた。
【００１４】
本発明は、前記従来の課題を解決するもので、ＥＭＭが送信されているデジタル放送サービスが選局されなくても、双方向デジタル放送受信装置の電源がＯＮされていれば、通信系ネットワークを介してＥＭＭの新規登録、変更又は更新を行うことができ、ＥＭＭが新規登録又は変更できず、又は有効期限切れとなってデジタル放送を視聴できない事態を回避できる割合を向上することができる放送事業者装置、双方向デジタル放送ネットワークシステムを提供すること目的とする。
【課題を解決するための手段】
【００１５】
前記従来の課題を解決するために、本発明の放送事業者装置は、該双方向デジタル放送受信装置が保持する第一の識別情報及び前記第一の識別情報を含み且つ前記第一の識別情報に関連付けられた限定受信情報を保持する放送事業者装置と、前記放送事業者装置から前記限定受信情報を第一のネットワークを介して受信すると共に、前記放送事業者装置と第二のネットワークを介して双方向通信する双方向デジタル放送受信装置と、からなる双方向デジタル放送ネットワークシステムにおいて、前記保持する限定受信情報を前記第一のネットワークに加え前記第二のネットワークを介して前記双方向デジタル放送受信装置に送信する又は、前記保持する限定受信情報を更新し、前記第一のネットワークに加え前記第二のネットワークを介して前記更新した限定受信情報を前記双方向デジタル放送受信装置に送信することを特徴とする。
【発明の効果】
【００１６】
本発明の放送事業者装置、双方向デジタル放送ネットワークシステムによれば、ＥＭＭが送信されているデジタル放送サービスが選局されなくても、双方向デジタル放送受信装置の電源がＯＮされていれば、通信系ネットワークを介してＥＭＭの新規登録、変更又は更新を行うことができ、ＥＭＭが新規登録又は変更できず、又は有効期限切れとなってデジタル放送を視聴できない事態を回避できる割合を向上することができる。
【図面の簡単な説明】
【００１７】
【図１】本発明の実施例１における双方向デジタル放送ネットワークシステムの構成図
【図２】本発明の実施例１における双方向デジタル放送ネットワークシステムの各装置が一つのＣＡＳ−ＩＤに紐付けて保持する情報の一覧を示す図
【図３】本発明の実施例１における双方向受信装置管理サーバの構成図
【図４】本発明の実施例１における双方向受信装置管理サーバの記録部が保持する情報の一覧を示す図
【図５】本発明の実施例１における双方向デジタル放送受信装置とＣＡＳカードの構成図
【図６】従来例のデジタル放送ネットワークシステムの構成図
【発明を実施するための形態】
【００１８】
以下本発明を実施するための最良の形態について、図面を参照しながら説明する。
【実施例１】
【００１９】
図１は、本発明の実施例１における双方向デジタル放送ネットワークシステムで、従来の方法でＥＭＭ生成装置２２から放送系ネットワーク３１を通じてＥＭＭを送出する方法に加えて、双方向受信装置管理サーバ２３を新たに追加し、通信系ネットワーク３２からもＥＭＭを送出するシステム構成の一例を示す図である。
【００２０】
図１において、双方向デジタル放送ネットワークシステム１は、オペレータ１０と、放送事業者装置２０と、放送系ネットワーク３１と、通信系ネットワーク３２と、双方向デジタル放送受信装置４１とから構成される。さらに放送事業者装置２０は、システム管理装置２１と、ＥＭＭ生成装置２２と、双方向受信装置管理サーバ２３と、放送機器２４とから構成される。さらにオペレータ１０は顧客情報登録装置１１から構成される。双方向デジタル放送受信装置４１は双方向通信機能を有し、従来例に加え、通信系ネットワーク３２を経由して放送事業者装置２０と通信を行う。
【００２１】
図２は、双方向デジタル放送ネットワークシステム１の各装置が一つのＣＡＳ−ＩＤに紐付けて保持する情報の一覧を示す図である。
【００２２】
図１及び図２を用いて、双方向デジタル放送ネットワークシステム１の動作について説明する。
【００２３】
ＥＭＭを新規登録又は変更する場合、オペレータ１０により顧客情報登録装置１１に入力されるＣＡＳ−ＩＤ、そのＣＡＳ−ＩＤに紐付けられたＳＴＢ−ＩＤ、視聴契約情報（例えば、有料番組の視聴権を記述した情報）、登録日又は更新日、ネットワークアドレス情報（Ｉｎｔｅｒｎｅｔ  Ｐｒｏｔｏｃｏｌアドレス、以下ＩＰアドレスと略す、またはＭｅｄｉａ  Ａｃｃｅｓｓ  Ｃｏｎｔｒｏｌアドレス、以下ＭＡＣアドレスと略す）は、顧客情報登録装置１１からシステム管理装置２１に送信される。
【００２４】
システム管理装置２１は、顧客情報登録装置１１から受信したＣＡＳ−ＩＤ、視聴契約情報、登録日又は更新日をＥＭＭ生成装置２２に送信する。
【００２５】
ＥＭＭ生成装置２２は、ＣＡＳ−ＩＤを送信先の情報として、システム管理装置２１から受信した登録日又は更新日を元に有効期限を設定し、ＣＡＳ−ＩＤ、視聴契約情報、前述の有効期限及び更新番号、を含むＥＭＭを生成し、周期的に放送機器２４に送信するとともに、ＣＡＳ−ＩＤ、視聴契約情報、有効期限及び更新番号をＥＭＭ生成装置２２内の記録部（図示せず）に記憶する。
【００２６】
ＥＭＭを更新する場合、ＥＭＭ生成装置２２は、記憶部（図示せず）に記憶したＣＡＳ−ＩＤに紐付けられた有効期限をモニターし、有効期限切れのｎ日前（ｎは整数）から、ＣＡＳ−ＩＤ、ＣＡＳ−ＩＤと紐付けられた視聴契約情報、期限を延長した有効期限及び番号をインクリメントした更新番号を含んだＥＭＭを放送機器２４に一定の期間、周期的に送信する。
【００２７】
放送機器２４は、ＥＭＭ生成装置２２から受信したＥＭＭとデジタル放送を多重しスクランブル処理を行い、放送系ネットワーク３１を通して双方向デジタル放送受信装置４１に一定の期間、周期的に送信する。
【００２８】
双方向デジタル放送受信装置４１は、受信したＥＭＭに含まれるＣＡＳ−ＩＤがＣＡＳカード４２から双方向デジタル放送受信装置４１に通知され双方向デジタル放送受信装置４１が保持するＣＡＳ−ＩＤと合致するとＣＡＳカード４２に受信したＥＭＭを送信する。ＣＡＳカード４２はＥＭＭから視聴契約情報、有効期限及び更新番号を取り出し、自データとして新規登録、又は自データを変更又は更新する。
【００２９】
双方向デジタル放送受信装置４１は、ＥＭＭが送信されているデジタル放送サービスを選局するとＥＭＭを取得することができる。また、双方向デジタル放送受信装置４１の電源がリモコンでＯＦＦ（待機状態）されている場合でも、通電制御により、ＥＭＭを取得することができる。なお、デジタル放送サービスとは、ＢＳデジタル、ＣＳデジタル、地上波デジタル、ケーブルテレビ等のネットワーク毎のサービスを意味する。
【００３０】
これにより、双方向デジタル放送受信装置４１は、放送系ネットワーク３１を介してＥＭＭの新規登録、変更又は更新を行うことができる。ここまでは、従来例の動作と同様である。
【００３１】
次に双方向受信装置管理サーバ２３の構成と動作について説明する。
【００３２】
図３は、双方向受信装置管理サーバ２３の構成図である。
【００３３】
双方向受信装置管理サーバ２３は、ＥＭＭ生成装置２２との通信を行うＥＭＭ生成装置通信部２３１と、システム管理装置２１と通信を行うシステム管理装置通信部２３２と、双方向デジタル放送受信装置４１と通信を行う受信装置通信部２３５と、通信された情報が保管される記憶部２３４と、通信された情報を記憶部２３４に書き込み又は読み込みを行い且つ双方向受信装置管理サーバ２３の動作を制御する制御部２３３から構成される。
【００３４】
図４は、記録部２３４が保持する情報の一覧を示す図である。
【００３５】
制御部２３３は、ＥＭＭ生成装置２２からＥＭＭ生成装置通信部２３１を介して、ＣＡＳ−ＩＤと、ＣＡＳ−ＩＤに紐付けられたＥＭＭ（ＣＡＳ−ＩＤ、ＣＡＳ−ＩＤに紐付けられた視聴契約情報、有効期限及び更新番号が含まれる）と、そのＣＡＳ−ＩＤに紐付けられたＥＭＭの有効期限及び更新番号を取得し、記憶部２３４に記録する。
【００３６】
また、制御部２３３は、システム管理装置２１からシステム管理装置通信部２３２を介して、新規登録、変更又は更新されたＣＡＳ−ＩＤ、そのＣＡＳ−ＩＤに紐付けられたＳＴＢ−ＩＤ、ネットワークアドレス情報（ＩＰアドレスまたはＭＡＣアドレス）を通知され、記憶部２３４に記憶する。制御部２３３は、システム管理装置２１から通知されたＣＡＳ−ＩＤに紐付けられたＥＭＭと、そのＣＡＳ−ＩＤに紐付けられた有効期限、更新番号をＥＭＭ生成装置通信部２３１を介して取得し、記憶部２３４に記録する。
【００３７】
ＥＭＭを新規登録又は変更する場合、制御部２３３は、ＥＭＭ生成装置２２から取得したＣＡＳ−ＩＤに紐付けられたＥＭＭを、当該ＣＡＳ−ＩＤに紐付いたネットワークアドレス情報であるＩＰアドレスまたはＭＡＣアドレスから判別されるＩＰアドレス宛に受信装置通信部２３６を介して通信系ネットワーク３２経由で送信する。ＭＡＣアドレスからＩＰアドレスの判別はＤＨＣＰ(Ｄｙｎａｍｉｃ  Ｈｏｓｔ  Ｃｏｎｆｉｇｕｒａｔｉｏｎ  Ｐｒｏｔｏｃｏｌ)サーバに問い合わせて行う。
【００３８】
ＥＭＭを更新する場合、制御部２３３は、記録部２３４に保持している有効期限が期限切れのｍ日前（ｍは整数）になると、その有効期限に紐付いたＣＡＳ−ＩＤに対して、ＣＡＳ−ＩＤ、ＣＡＳ−ＩＤに紐付けられた視聴契約情報、期限が延長された有効期限及び番号がインクリメントされた更新番号を含む最新のＥＭＭを送信するよう、ＥＭＭ生成装置２２に要求する。ここでｍ≦ｎとする。ｎは前述したＥＭＭ生成装置２２が有効期限を更新したＥＭＭの送出を開始する日である。すなわち、双方向受信装置管理サーバ２３は、ＥＭＭ生成装置２２が有効期限を更新したＥＭＭの送出を開始した日以降にＥＭＭ生成装置２２に更新したＥＭＭの要求を行う。
【００３９】
ＥＭＭ生成装置２２は、制御部２３３から要求に基づき、ＣＡＳ−ＩＤ、期限が延長された有効期限、番号がインクリメントされた更新番号、視聴契約情報を含む最新のＥＭＭを双方向受信装置管理サーバ２３に送信する。
【００４０】
制御部２３３は、有効期限が期限切れのｍ日前（ｍは整数）になったＣＡＳ−ＩＤを有する双方向デジタル放送受信装置４１に、そのＣＡＳ−ＩＤ、期限が延長された有効期限、番号がインクリメントされた更新番号及び視聴契約情報を含む最新のＥＭＭを、記憶部２３４が保持する当該ＣＡＳ−ＩＤに紐付いたネットワークアドレス情報であるＩＰアドレスまたはＭＡＣアドレスから判別されるＩＰアドレス宛に受信装置通信部２３６を介して通信系ネットワーク３２経由で送信する。
【００４１】
双方向デジタル放送受信装置４１は、受信したＥＭＭに含まれるＣＡＳ−ＩＤがＣＡＳカード４２から双方向デジタル放送受信装置４１に通知されデジタル放送受信装置４１が保持するＣＡＳ−ＩＤと合致するとＣＡＳカード４２に受信したＥＭＭを送信する。ＣＡＳカード１４２はＥＭＭから視聴契約情報、有効期限及び更新番号を取り出し、自データを更新する。
【００４２】
これにより、放送系ネットワーク３１と通信系ネットワーク３２で送信されるＥＭＭが同一内容の最新のＥＭＭであるため、ＥＭＭが送信されているデジタル放送サービスが選局されなくても、双方向デジタル放送受信装置４１の電源がＯＮされていれば、通信系ネットワーク３２を介してＥＭＭの新規登録、変更又は更新を行うことができ、新規登録又は変更できず、又は有効期限切れとなってデジタル放送を視聴できない事態を回避できる割合をさらに向上することができる。
【００４３】
また、双方向受信装置管理サーバ２３は、新規登録、変更又は更新したＥＭＭを双方向デジタル放送受信装置４１に送信する際、双方向デジタル放送受信装置４１に対し、双方向デジタル放送受信装置４１が記憶しているＣＡＳ−ＩＤ及びＳＴＢ−ＩＤを双方向受信装置管理サーバ２３に送信するようにコマンドを発信し、双方向受信装置管理サーバ２３が記憶しているＣＡＳ−ＩＤとＣＡＳ−ＩＤに紐付けられたＳＴＢ−ＩＤに合致する場合のみ、ＥＭＭの新規登録、変更又は更新を行うこととしても良い。これにより、登録されたＣＡＳ−ＩＤとＳＴＢ−ＩＤの組み合わせ以外の構成の双方向デジタル放送受信装置４１に更新したＥＭＭを送信することがなくなり、通信系ネットワーク３２を介したＥＭＭの送信をより確実に行うことが可能となる。
【００４４】
また、ＥＭＭを双方向デジタル放送受信装置４１に送信する際にＥＭＭを暗号化することにより、秘匿性を高めても良い。暗号化はＳＴＢ−ＩＤ又はＣＡＳ−ＩＤ若しくは両方の組み合わせた情報を元に予め双方向受信装置管理サーバ２３と双方向デジタル放送受信装置４１とで定められた秘密鍵暗号方式で使用する秘密鍵を生成し暗号化を行い、暗号化されたＥＭＭを受信した双方向デジタル放送受信装置４１は、双方向デジタル放送受信装置４１自身が保持するＳＴＢ−ＩＤ又はＣＡＳ−ＩＤ若しくは両方の組み合わせた情報を元に生成する秘密鍵により復号を行うことで、事前に秘密鍵の受け渡しを行うことなく秘匿性を高めたＥＭＭの更新を行うことができる。前記秘密鍵の生成には、例えば、あらかじめ定めたハッシュ関数を使用する。暗号化により、セキュリティレベルの低い通信系ネットワーク、例えばインターネット等、を経由したＥＭＭの送信において、セキュリティを高めて送信することができる。また、送信側と受信機側双方であらかじめ定めた方法で秘密鍵が生成できるので、鍵の運用が容易になり、資源の乏しい受信機でも高速に処理が可能な秘密鍵暗号を使用することができる。
【００４５】
また、ＥＭＭを更新する場合、双方向デジタル放送受信装置４１の主電源がＯＦＦされている場合や通信系ネットワーク３２に障害がある場合で、双方向デジタル放送受信装置４１はＥＭＭを更新することができず、双方向受信装置管理サーバ２３が双方向デジタル放送受信装置４１から応答を受けることができない場合、双方向受信装置管理サーバ２３は、定期的にＥＭＭを送信し続け、ＥＭＭの送信間隔を有効期限が近づくにつれ、送信間隔を短くすることにより、ＥＭＭを更新できる機会を増やすことができる。
【００４６】
また、双方向受信装置管理サーバ２３は、双方向デジタル放送受信装置４１からのＥＭＭを受信した旨の応答を確認することにより、ＥＭＭの新規登録、変更又は更新が確認できた双方向デジタル放送受信装置４１に対する通信系ネットワーク３２を利用したＥＭＭの送出を停止する。これにより、通信系ネットワーク３２の使用帯域を削減し、帯域の有効利用が可能となる。さらに双方向受信装置管理サーバ２３はＥＭＭ生成装置２２にＥＭＭの新規登録、変更又は更新が確認できた双方向デジタル放送受信装置４１のＣＡＳ−ＩＤを通知することにより、ＥＭＭ生成装置２２は有効期限の延長が確認できた双方向デジタル放送受信装置４１に対する放送ネットワーク３１を利用したＥＭＭの送出を停止する。これにより、放送ネットワーク３１の使用帯域を削減し、帯域の有効利用が可能となる。
【００４７】
また、ＥＭＭはＥＭＭ生成装置２２から、放送系ネットワーク３１を通じて送信されるのに加えて、双方向受信装置管理サーバ２３から、通信系ネットワーク３２を通じて送信されるとが、双方向受信装置管理サーバ２３から通信系ネットワーク３２を通じてのみ送信することでも、ＥＭＭの新規登録、変更又は更新は可能である。これにより、放送系ネットワーク３１の使用帯域を削減し、帯域の有効利用が可能となる。
【００４８】
なお、図２および図４で顧客情報登録装置１１、システム管理装置２１、双方向デジタル放送受信機４１がＩＰアドレスとＭＡＣアドレス両方を持つとしたが、一方のみでも良い。
【実施例２】
【００４９】
図５は、図１おける双方向デジタル放送受信装置４１とＣＡＳカード４２の構成図である。
【００５０】
双方向デジタル放送受信装置４１は、放送系ネットワーク３１からデジタル放送を受信するチューナ部４１１と、受信したデジタル放送のスクランブルを解除するデスクランブル部４１２と、デスクランブルされた信号を映像や音声等の各信号に分離するＤＥＭＵＸ部４１３と、映像や音声の信号をデコードしモニター等の表示装置へ出力する映像・音声デコード部４１４と、双方向デジタル放送受信装置４１の動作を制御する制御部４１６と、制御部４１６が制御する情報を記憶する記憶部４１７と、ＣＡＳカード４２を挿入する、カードスロット部４１８、通信系ネットワーク３２と通信を行うネットワーク通信部４１５により構成される。
【００５１】
ＣＡＳカード４２は、双方向デジタル放送受信装置４１と通信を行うインターフェース部４２１とＣＡＳカード４２の動作を制御する制御部４２２と、情報を記憶する記憶部４２３により構成される。
【００５２】
双方向デジタル放送受信装置４１の制御部４１６は、ＣＡＳカード４２の記憶部４２３に記録されているＥＭＭの更新番号を問い合わせるＥＭＭ更新番号取得コマンドを備えており、ＣＡＳカード４２の制御部４２２は、制御部４１６から送信されたＥＭＭ更新番号取得コマンドを受信すると、記憶部４２３よりＥＭＭの更新番号を取得し、制御部４１６に応答するＥＭＭ更新番号応答処理を行う。
【００５３】
制御部４１６は、双方向受信装置管理サーバ２３から、通信系ネットワーク３２を経由しネットワーク通信部４１５を通じてＥＭＭの更新番号の問い合わせがあった場合、ＣＡＳカード４２の制御部４２２にＥＭＭ更新番号取得コマンドを送信する。制御部４２２は記憶部４２３からＥＭＭの更新番号を取得し、制御部４１６に応答する。制御部４１６は取得したＥＭＭの更新番号を双方向受信装置管理サーバ２３に返信する。
【００５４】
双方向受信装置管理サーバ２３が、双方向デタジル放送受信装置４１にＥＭＭの更新番号の問い合わせが可能となることで、双方向受信装置管理サーバ２３で双方向デジタル放送受信装置４１のＥＭＭの現在のバージョンを確認することができ、更新番号が最新でない場合はＥＭＭを送信することによって、新規登録又は変更できず、又は有効期限切れとなってデジタル放送を視聴できない事態を回避できる割合をさらに向上することができる。
【００５５】
また、ＥＭＭのバージョンが最新であることを確認できた場合は、双方向デジタル放送受信装置４１に対する放送系ネットワーク３１、通信系ネットワーク３２を利用したＥＭＭの送出を停止する。これにより、放送系ネットワーク３１、通信系ネットワーク３２の使用帯域を削減し、帯域の有効利用が可能となる。
【産業上の利用可能性】
【００５６】
本発明にかかる放送事業者装置、双方向デジタル放送ネットワークシステムは、ＥＭＭが送信されているデジタル放送サービスが選局されなくても、双方向デジタル放送受信装置の電源がＯＮされていれば、通信系ネットワークを介してＥＭＭの新規登録、変更又は更新を行うことができ、新規登録又は変更できず、又は有効期限切れとなってデジタル放送を視聴できない事態を回避できる割合を向上することができるので、双方向デジタル放送ネットワークシステム等として有用である。
【符号の説明】
【００５７】
１    双方向デジタル放送ネットワークシステム
１０    オペレータ
１１    顧客情報登録装置
２０    放送事業者装置
２１    システム管理装置
２２    ＥＭＭ生成装置
２３    双方向受信装置管理サーバ
２４    放送機器
３１    放送系ネットワーク
３２    通信系ネットワーク
４１    双方向デジタル放送受信装置
４２    ＣＡＳカード
１００    デジタル放送ネットワークシステム
１２０    放送事業者装置
１４１    デジタル放送受信装置
１４２    ＣＡＳカード
２３１    ＥＭＭ生成装置通信部
２３２    システム管理装置通信部
２３３    制御部
２３４    記憶部
２３５    受信装置通信部
４１１    チューナ部
４１２    デスクランブラ部
４１３    ＤＥＭＵＸ部
４１４    映像・音声デコード部
４１５    ネットワーク通信部
４１６    制御部
４１７    記憶部
４１８    カードスロット部
４２１    インターフェース部
４２２    制御部
４２３    記憶部
【図１】
2011004023.tif 000003
【図２】
2011004023.tif 000004
【図３】
2011004023.tif 000005
【図４】
2011004023.tif 000006
【図５】
2011004023.tif 000007
【図６】
2011004023.tif 000008